(57)【要約】【課題】電子装置で実行されるアプリケーションおよびユーザの好みに応じて、音声ガイド情報に含まれた音声アイテムまたはモーションガイド情報に含まれたモーションアイテムを変更することができる電子装置およびその制御方法を提供することにある。【解決手段】電子装置及びその制御方法が提供される。本電子装置の制御方法は、音声入力部を介して音声開始命令が入力されると、電子装置のモードをユーザ音声によって制御される音声タスクモードに切り替え、電子装置で音声タスクモードを行うための複数の音声命令語を含む音声ガイド情報をディスプレイし、ユーザ入力に応じて、複数の音声命令語の少なくとも何れか一つを別の音声命令語に変更する。それにより、ユーザはより便利かつ効率よく電子機器を制御することができるようになる。【選択図】図８
2013140359.tif 000002
【特許請求の範囲】
【請求項１】
電子装置の制御方法において、
音声入力部を介して音声開始命令が入力されるステップと、
前記音声開始命令が入力されると、前記電子装置のモードをユーザ音声によって制御される音声タスクモードに切り替え、前記電子装置で音声タスクモードを行うための複数の音声命令語を含む音声ガイド情報をディスプレイするステップと、
ユーザ入力に応じて、前記複数の音声命令語の少なくとも何れか一つを別の音声命令語に変更するステップと
を含む制御方法。
【請求項２】
前記音声ガイド情報は、
音声命令語が固定的にディスプレイされる固定命令語領域および音声命令語が可変的に変更される変更命令語領域を含むことを特徴とする請求項１に記載の制御方法。
【請求項３】
前記固定命令語領域には、前記電子装置の電源オフを行うための音声命令語が含まれることを特徴とする請求項２に記載の制御方法。
【請求項４】
前記変更するステップは、
アプリケーションを実行するためのユーザ命令が入力されると、前記アプリケーションを実行するステップと、
前記アプリケーションが実行されると、前記複数の音声命令語の少なくとも何れか一つを、前記実行されたアプリケーションに対応する音声命令語に変更するステップと
を含むことを特徴とする請求項１ないし３の何れか一項に記載の制御方法。
【請求項５】
前記変更するステップは、
前記ユーザ好み音声命令語をディスプレイするためのユーザ命令が入力されるステップと、
前記ユーザ命令が入力されると、前記複数の音声命令語の少なくとも何れか一つをユーザによって設定されたユーザ好み音声命令語に変更するステップと
を含むことを特徴とする請求項１ないし３の何れか一項に記載の制御方法。
【請求項６】
前記変更された音声ガイド情報には、変更前の音声ガイド情報への転換を行うための音声命令語が含まれることを特徴とする請求項１ないし５の何れか一項に記載の制御方法。
【請求項７】
電子装置において、
ユーザ音声が入力される音声入力部と、
ディスプレイ部と、
前記音声入力部を介して音声開始命令が入力されると、前記電子装置のモードをユーザ音声によって制御される音声タスクモードに切り替え、前記電子装置で音声タスクモードを行うための複数の音声命令語を含む音声ガイド情報を前記ディスプレイ部にディスプレイし、ユーザ入力に応じて、前記複数の音声命令語の少なくとも何れか一つを別の音声命令語に変更する制御部と
を含む電子装置。
【請求項８】
前記音声ガイド情報は、
音声命令語が固定的にディスプレイされる固定命令語領域および音声命令語が可変的に変更される変更命令語領域を含むことを特徴とする請求項７に記載の電子装置。
【請求項９】
前記固定命令語領域には、前記電子装置の電源オフを行うための音声命令語が含まれることを特徴とする請求項８に記載の電子装置。
【請求項１０】
前記制御部は、
アプリケーションを実行するためのユーザ命令が入力されると、前記アプリケーションを実行し、前記複数の音声命令語の少なくとも何れか一つを、前記実行されたアプリケーションに対応する音声命令語に変更することを特徴とする請求項７ないし９の何れか一項に記載の電子装置。
【請求項１１】
前記制御部は、
前記ユーザ好み音声命令語をディスプレイするためのユーザ命令が入力されると、前記複数の音声命令語の少なくとも何れか一つをユーザによって設定されたユーザ好み音声命令語に変更することを特徴とする請求項７ないし９の何れか一項に記載の電子装置。
【請求項１２】
前記変更された音声ガイド情報には、変更前の音声ガイド情報への転換を行うための音声命令語が含まれることを特徴とする請求項７ないし１１の何れか一項に記載の電子装置。
【発明の詳細な説明】
【技術分野】
【０００１】
本発明は、電子装置及びその制御方法に関し、より詳細には、ユーザ音声またはユーザモーションに応じて制御される電子装置及びその制御方法に関する。
【背景技術】
【０００２】
電子技術の発展により、多様な種類の電子装置が開発され普及されている。特に、最近はテレビをはじめとする多様な類型の電子装置が一般家庭でも使われている。これらの電子装置は、ユーザの要求に応じてより多様な機能を備えるようになっている。特に、テレビの場合、最近はインターネットと接続されてインターネットサービスまでサポートしている。なお、ユーザはテレビを通じて数多くのデジタル放送チャネルも視聴できるようになっている。
【０００３】
よって、電子装置の多様な機能を効率的に使うための多様な入力方法が要求されている。例えば、リモコンを用いた入力方法、マウスを用いた入力方法、及びタッチパッドを用いた入力方法等が電子装置に適用されている。
【０００４】
ところが、このような単純な入力方法だけでは、電子装置の多様な機能を効果的に使いこなすことが困難であった。仮に、電子装置のすべての機能をリモコンだけで制御するように実現すると、リモコンのボタン数を増やさざるを得なかった。この場合、一般のユーザがリモコンの使用法を習得することは決して容易なことではない。なお、多様なメニューを画面上に表示してユーザが当該メニューを探し当てて選択する方法の場合、ユーザが複雑なメニューツリーを一々確認し、自分の望むメニューを選択しなければならないため、不便であった。
【０００５】
従って、近来では、電子装置を一層便利かつ直観的に制御するために、音声認識およびモーション認識を用いた技術が開発されている。特に、ユーザが音声認識またはモーション認識を用いてより効率よく電子装置を制御するために、電子装置は音声認識またはモーション認識をガイドするＵＩが必要となる。
【０００６】
しかし、従来の音声認識およびモーション認識をガイドするＵＩは、実行されるアプリケーションおよびユーザの好みに関係なく、同一の形態で提供されている。例えば、電子装置が放送受信機能を行うにせよ、電子装置がアプリケーションを実行するにせよ、同一の形態のＵＩが提供される問題点が存在している。
【先行技術文献】
【特許文献】
【０００７】
【特許文献１】韓国特開第２００７−００５５２１０号公報
【特許文献２】韓国特開第２０１０−０１０２３５４号公報
【特許文献３】韓国特開第２００６−００８４２５１号公報
【発明の概要】
【発明が解決しようとする課題】
【０００８】
そこで、本発明は、上記問題に鑑みてなされたものであり、本発明の目的とするところは、電子装置で実行されるアプリケーションおよびユーザの好みに応じて、音声ガイド情報に含まれた音声アイテムまたはモーションガイド情報に含まれたモーションアイテムを変更することができる電子装置およびその制御方法を提供することにある。
【課題を解決するための手段】
【０００９】
前記目的を達成するための本発明の一実施形態に係る電子装置の制御方法は、音声入力部を介して音声開始命令が入力されるステップと、前記音声開始命令が入力されると、前記電子装置のモードをユーザ音声によって制御される音声タスクモードに切り替え、前記電子装置で音声タスクモードを行うための複数の音声命令語を含む音声ガイド情報をディスプレイするステップと、ユーザ入力に応じて、前記複数の音声命令語の少なくとも何れか一つを別の音声命令語に変更するステップとを含む。
【００１０】
そして、前記音声ガイド情報は、音声命令語が固定的にディスプレイされる固定命令語領域および音声命令語が可変的に変更される変更命令語領域を含んでよい。
【００１１】
なお、前記固定命令語領域には、前記電子装置の電源オフを行うための音声命令語が含まれてよい。
【００１２】
そして、前記変更するステップは、アプリケーションを実行するためのユーザ命令が入力されると、前記アプリケーションを実行するステップと、前記アプリケーションが実行されると、前記複数の音声命令語の少なくとも何れか一つを、前記実行されたアプリケーションに対応する音声命令語に変更するステップとを含んでよい。
【００１３】
なお、前記ユーザ好み音声命令語をディスプレイするためのユーザ命令が入力されるステップと、前記ユーザ命令が入力されると、前記複数の音声命令語の少なくとも何れか一つをユーザによって設定されたユーザ好み音声命令語に変更するステップとを含んでよい。
【００１４】
そして、前記変更された音声ガイド情報には、変更前の音声ガイド情報への転換を行うための音声命令語が含まれてよい。
【００１５】
一方、前記目的を達成するための本発明の一実施形態に係る電子装置は、ユーザ音声が入力される音声入力部と、ディスプレイ部と、前記音声入力部を介して音声開始命令が入力されると、前記電子装置のモードをユーザ音声によって制御される音声タスクモードに切り替え、前記電子装置で音声タスクモードを行うための複数の音声命令語を含む音声ガイド情報を前記ディスプレイ部にディスプレイし、ユーザ入力に応じて、前記複数の音声命令語の少なくとも何れか一つを別の音声命令語に変更する制御部とを含む。
【００１６】
そして、前記音声ガイド情報は、音声命令語が固定的にディスプレイされる固定命令語領域および音声命令語が可変的に変更される変更命令語領域を含んでよい。
【００１７】
なお、前記固定命令語領域には、前記電子装置の電源オフを行うための音声命令語が含まれてよい。
【００１８】
そして、前記制御部は、アプリケーションを実行するためのユーザ命令が入力されると、前記アプリケーションを実行し、前記複数の音声命令語の少なくとも何れか一つを、前記実行されたアプリケーションに対応する音声命令語に変更してよい。
【００１９】
なお、前記制御部は、前記ユーザ好み音声命令語をディスプレイするためのユーザ命令が入力されると、前記複数の音声命令語の少なくとも何れか一つをユーザによって設定されたユーザ好み音声命令語に変更してよい。
【００２０】
そして、前記変更された音声ガイド情報には、変更前の音声ガイド情報への転換を行うための音声命令語が含まれてよい。
【００２１】
一方、前記目的を達成するための本発明の一実施形態に係る電子装置の制御方法は、モーション入力部を介してモーション開始命令が入力されるステップと、前記モーション開始命令が入力されると、前記電子装置のモードをユーザモーションによって制御されるモーションタスクモードに切り替え、前記電子装置でモーションタスクモードを行うための複数のモーションアイテムを含むモーションガイド情報をディスプレイするステップと、アプリケーション実行命令が入力されると、前記複数のモーションアイテムの少なくとも何れか一つを、前記実行されるアプリケーションに対応するモーションアイテムに変更するステップとを含む。
【００２２】
一方、前記目的を達成するための本発明の一実施形態に係る電子装置は、ユーザモーションが入力されるモーション入力部と、ディスプレイ部と、前記モーション入力部を介してモーション開始命令が入力されると、前記電子装置のモードをユーザモーションによって制御されるモーションタスクモードに切り替え、前記電子装置でモーションタスクモードを行うための複数のモーションアイテムを含むモーションガイド情報を前記ディスプレイ部にディスプレイし、アプリケーション実行命令が入力されると、前記複数のモーションアイテムの少なくとも何れか一つを、前記実行されるアプリケーションに対応するモーションアイテムに変更する制御部とを含む。
【発明の効果】
【００２３】
以上説明したように、本発明によれば、電子装置で実行されるアプリケーションに応じて音声アイテムまたはモーションアイテムを変更して提供することにより、ユーザはより便利かつ効率よく電子機器を制御することができるようになる。
【図面の簡単な説明】
【００２４】
【図１】本発明の多様な実施形態に係る電子装置の構成を説明するためのブロック図である。
【図２】本発明の多様な実施形態に係る電子装置の構成を説明するためのブロック図である。
【図３】本発明の多様な実施形態に係る電子装置の構成を説明するためのブロック図である。
【図４】本発明の一実施形態に係る音声タスクモードで一般的な音声ガイド情報を説明するための図である。
【図５】本発明の一実施形態に係る音声タスクモードで一般的な音声ガイド情報を説明するための図である。
【図６】本発明の一実施形態に係る音声タスクモードでアプリケーションに特化した音声ガイド情報を示す図である。
【図７】本発明の一実施形態に係る音声タスクモードでユーザ好み音声アイテムが含まれた音声ガイド情報を示す図である。
【図８】本発明の一実施形態に係るアプリケーションの一部音声アイテムを変更するための電子装置の制御方法を説明するためのフローチャートである。
【図９】本発明の別の実施形態に係る電子装置の構成を説明するためのブロック図である。
【発明を実施するための形態】
【００２５】
以下に添付図面を参照しながら、本発明の好適な実施形態について詳細に説明する。
【００２６】
図１は、本発明の実施形態に係る電子装置を示す概略ブロック図である。
図１を参照すると、電子装置１００は、音声入力部１１０と、保存部１３０と、制御部１４０及びディスプレイ部１９３を含む。電子装置１００は、外部のネットワークと接続可能なスマートテレビ、セットトップボックス、ＰＣとして、又はデジタルテレビや携帯電話等で実現されてよいが、これらに限られるものではない。
【００２７】
音声入力部１１０には、ユーザが発話（Ｕｔｔｅｒａｎｃｅ）した音声が入力される。音声入力部１１０は、入力された音声信号を電気信号に変換して制御部１４０に出力する。例えば、音声入力部１１０は、マイクロフォンで実現されてよい。なお、音声入力部１１０は、電子装置１００と一体型（Ａｌｌ−ｉｎ−ｏｎｅ）だけでなく、分離した形で実現されてよい。分離された音声入力部１１０は、電子装置１００と有線又は無線ネットワークを通じて接続されてよい。
【００２８】
保存部１３０は、電子装置１００を駆動して制御するための多様なデータ及びプログラムを保存する。保存部１３０は、音声入力部１１０を介して入力された音声を認識するための音声認識モジュール及びモーション入力部を介して入力されたモーションを認識するためのモーション認識モジュールを保存する。
【００２９】
保存部１３０は、音声データベース及びモーションデータベースを含んでよい。音声データベースは、予め設定された音声及び予め設定された音声にマッチする音声タスクが記録されたデータベースのことを意味する。モーションデータベースとは、予め設定されたモーション及び予め設定されたモーションにマッチするモーションタスクが記録されたデータバースのことを意味する。
【００３０】
ディスプレイ部１９３は、放送受信部を介して受信された放送信号に対応する映像を表示する。ディスプレイ部１９３は、外部端子入力部を介して入力される映像データ（例えば、動画）を表示することができる。ディスプレイ部１９３は、制御部１４０の制御に応じて音声タスクを行うための音声ガイド情報及びモーションタスクを行うためのモーションガイド情報を表示することができる。
【００３１】
制御部１４０は、音声入力部１１０と、保存部１３０及びディスプレイ部１９３を制御する。制御部１４０は、ＣＰＵ（Ｃｅｎｔｒａｌ  Ｐｒｏｃｅｓｓｉｎｇ  Ｕｎｉｔ）及び電子装置１００を制御するためのモジュール及びデータを保存するＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を含んでよい。
【００３２】
制御部１４０は、音声入力部１１０を介して音声が入力される場合、音声認識モジュール及び音声データベースを用いて音声を認識する。音声認識（Ｖｏｉｃｅ  Ｒｅｃｏｇｎｉｔｉｏｎ）は入力される音声の形態によって、各々の単語を区分して発話した音声を認識する孤立単語認識（Ｉｓｏｌａｔｅｄ  Ｗｏｒｄ  Ｒｅｃｏｇｎｉｔｉｏｎ）、連続単語、連続文章及び会話体音声を認識する連続音声認識（Ｃｏｎｔｉｎｕｏｕｓ  ｓｐｅｅｃｈ  Ｒｅｃｏｇｎｉｔｉｏｎ）及び孤立単語認識と連続音声認識との中間形態で、予め定められたキーワードを検出して認識するキーワード検出（Ｋｅｙｗｏｒｄ  Ｓｐｏｔｔｉｎｇ）で区分されてよい。
【００３３】
ユーザ音声が入力される場合、制御部１４０は入力された音声信号内でユーザが発話した音声の始めと終わりを検出して音声区間を判断する。制御部１４０は、入力された音声信号のエネルギーを計算し、計算されたエネルギーに応じて音声信号のエネルギーレベルを分類し、動的プログラミングを通じて音声区間を検出することができる。制御部１４０は、検出された音声区間内の音声信号に音響モデル（Ａｃｏｕｓｔｉｃ  Ｍｏｄｅｌ）に基づいて、音声の最小単位である音素を検出して音素データを生成する。制御部１４０は、生成された音素データにＨＭＭ（Ｈｉｄｄｅｎ  Ｍａｒｋｏｖ  Ｍｏｄｅｌ）確率モデルを適用してテキスト情報を生成する。しかし、上述のように、ユーザの音声を認識する方法は一実施形態に過ぎず、他の方法を用いてユーザ音声を認識することができる。それにより、制御部１４０は、音声信号の中に含まれたユーザの音声を認識することができる。
【００３４】
制御部１４０は、上述のように、認識された音声を用いて、電子装置１００のタスク（Ｔａｓｋ）を行う。電子装置１００のタスクは、電源制御、チャネル変更、音量調節、コンテンツ（例えば、動画や音楽、写真等）の再生、画面に表示されるＧＵＩ（Ｇｒａｐｈｉｃａｌ  Ｕｓｅｒ  Ｉｎｔｅｒｆａｃｅ）の選択またはインターネットサービス（例えば、検索やブラウジング等）等のように、電子装置１００によって実行可能な機能の少なくとも一つを含む。
【００３５】
制御部１４０は、音声タスクモードを移行するための音声開始命令が入力されたか否かを判断する。
【００３６】
音声開始命令が入力されると、制御部１４０は、電子装置１００のモードを音声タスクモードに切り替える。このとき、音声タスクモードとは、音声入力部１１０によって入力されたユーザ音声命令語によって電子装置が制御されるモードである。なお、
音声開始命令の代わりに音声タスクモードを開始するための別の種類のユーザ命令を利用することができる。別の種類のユーザ命令は、リモコンの特定ボタン入力、電子装置１００の特定ボタン入力、ユーザの特定モーション等を含んでよい。
【００３７】
音声タスクモードに切り替わると、制御部１５０はディスプレイ画面に音声ガイド情報をディスプレイする。このとき、音声ガイド情報は、電子装置１００で音声タスクモードを行うために、ユーザ音声入力をガイドする複数の音声命令語を含む。
【００３８】
そして、ユーザの特定命令が入力されると、制御部１４０は音声ガイド情報に含まれた複数の音声命令語の少なくとも何れか一つを別の音声命令語に変更する。このとき、ユーザの特定命令は、特定アプリケーションを実行させるためのユーザ命令か、ユーザ好み音声命令をディスプレイするためのユーザ命令であってよい。
【００３９】
特に、音声ガイド情報は、複数の音声命令語のうち、一部の音声命令語（例えば、“電源オフ”の音声命令語）が固定的にディスプレイされる固定命令語領域および音声命令語が可変的に変更される変更命令語領域とを含む。したがって、ユーザの特定命令が入力されると、制御部１４０は、音声ガイド情報のうち、変更命令語領域に含まれた音声命令語を別の命令語に変更することができる。
【００４０】
本発明の一実施形態として、特定アプリケーションを実行させるためのユーザ命令が入力されると、制御部１４０はユーザ命令に対応するアプリケーションを実行する。そして、制御部１４０は、音声ガイド情報に含まれた複数の音声命令語の少なくとも何れか一つの命令語を現在実行されるアプリケーションに必要な音声命令語に変更してよい。
【００４１】
このとき、アプリケーションに必要な音声命令語は、アプリケーションインストールの際に電子装置１００の保存部１３０に保存される。そして、アプリケーションの実行命令が入力されると、制御部１４０は、保存部１３０に保存されたアプリケーションに必要な音声命令語を読み取ってディスプレイ部１９３にディスプレイすることができる。
【００４２】
本発明の別の実施形態として、ユーザ好み音声命令語をディスプレイするためのユーザ命令が入力されると、制御部１４０は、音声ガイド情報に含まれた複数の音声命令語の少なくとも何れか一つの命令語をユーザ好み音声命令語に変更することができる。このとき、ユーザ好み音声命令語は、音声命令語設定メニューを用いて、ユーザによって予め登録された音声命令語であってよい。
【００４３】
変更された音声ガイド情報には、変更前の音声ガイド情報に転換するための音声命令語が含まれてよい。例えば、変更前の音声ガイド情報に転換するための音声命令語として、“終了”の音声命令語が含まれてよい。
【００４４】
したがって、ユーザはアプリケーション毎に、ユーザ好み毎に、ユーザに最適化された音声ガイド情報を用いて音声タスクモードを行ってよい。本発明の具体的な実施形態に対しては、図４ないし図７を参照して、今後より詳細に説明する。
【００４５】
図２は、本発明の別の実施形態に係る電子装置１００の構成を示すブロック図である。図２を参照すると、電子装置１００は、音声入力部１１０と、モーション入力部１２０と、保存部１３０と、制御部１４０と、放送受信部１５０と、外部端子入力部１６０と、リモコン信号受信部１７０と、ネットワークインターフェース部１８０及び映像出力部１９０を含む。図２に示す電子装置１００は、セットトップボックス（Ｓｅｔ  Ｔｏｐ  Ｂｏｘ）で実現されてよい。
【００４６】
一方、図２に示す音声入力部１１０と、保存部１３０及び制御部１４０に対する説明は、図１において説明した音声入力部１１０と、保存部１３０及び制御部１４０に対する説明と同様であるため、詳細な説明は省略する。
【００４７】
モーション入力部１２０は、ユーザのモーションを撮像した映像信号（例えば、連続するフレーム）が受信して制御部１４０に提供する。例えば、モーション入力部１２０は、レンズ及びイメージセンサで構成されるカメラユニットで実現されてよい。なお、モーション入力部１２０は、電子装置１００と一体型だけでなく、分離した形で実現されてよい。分離したモーション入力部１２０は、電子装置１００と有線又は無線ネットワークを通じて接続されてよい。
【００４８】
放送受信部１５０は、有／無線で外部から放送信号を受信する。放送信号は、映像（Ｖｉｄｅｏ）、オーディオ（Ａｕｄｉｏ）及び付加データ（例えば、ＥＰＧ）を含む。放送受信部１５０は、地上波放送、ケーブル放送、衛星放送、インターネット放送等のような多様なソースから放送信号を受信することができる。
【００４９】
外部端子入力部１６０は、電子装置１００の外部から映像データ（例えば、動画や写真等）、オーディオデータ（例えば、音楽等）等を受信する。外部端子入力部１６０は、ＨＤＭＩ入力端子（Ｈｉｇｈ−Ｄｅｆｉｎｉｔｉｏｎ  Ｍｕｌｔｉｍｅｄｉａ  Ｉｎｔｅｒｆａｃｅ  Ｉｎｐｕｔ）、コンポーネント入力端子、ＰＣ入力端子、又はＵＳＢ入力端子の少なくとも一つを含んでよい。リモコン信号受信部１７０は、外部のリモコンから入力されるリモコン信号を受信する。リモコン信号受信部１７０は、電子装置１００が音声タスクモードか、モーションタスクモードでも、リモコン信号を受信することができる。リモコン信号受信部１７０は、有線または無線通信インターフェースで実現可能であり、片方向または双方向通信インターフェースで実現可能である。
【００５０】
ネットワークインターフェース部１８０は、制御部１４０の制御によって電子装置１００と外部装置（例えば、サーバ、他の電子装置等）を接続することができる。制御部１４０は、ネットワークインターフェース部１８０を介して接続された外部装置からアプリケーションをダウンロードしたり、ウェブブラウジング等インターネットサービスがユーザに提供するように制御することができ、外部装置から映像データ、オーディオデータ、テキストデータ等を受信するように制御してよい。ネットワークインターフェース部１８０は、有線／無線通信インターフェースで実現可能であり、多様な種類の双方向通信インターフェースで実現可能である。例えば、イーサネット（登録商標）（Ｅｔｈｅｒｎｅｔ（登録商標））、無線ＬＡＮ及びブルートゥース（Ｂｌｕｅｔｏｏｔｈ（登録商標））の少なくとも一つを提供することができる。
【００５１】
映像出力部１９０は、放送受信部１５０を介して受信される外部の放送信号、又は外部端子入力部１６０で入力される映像データ、または保存部１３０に保存されたデータ、またはネットワークインターフェース部１８０を介して受信されるデータを外部の電子装置（例えば、モニタやテレビ、スピーカ等）で出力する。なお、電子装置１００がディスプレイやスピーカ等を備えている場合には、電子装置１００のディスプレイやスピーカを通じて出力することができる。
【００５２】
制御部１４０は、モーション入力部１２０を介してモーションが入力される場合、モーション検知モジュール及びモーションデータベースを用いてモーションを認識する。モーション認識（Ｍｏｔｉｏｎ  Ｒｅｃｏｇｎｉｔｉｏｎ）は、モーション入力部１２０を介して入力される映像（例えば、連続するフレーム）を周囲の背景とユーザモーションの対象であるオブジェクト（例えば、ユーザの手）領域に分離し、連続するオブジェクトの動きを認識することができる。ユーザモーションが入力される場合、制御部１４０は受信された映像をフレーム単位で保存し、保存されたフレームを用いてオブジェクトを検知する。制御部１４０は、フレームに含まれたオブジェクトの形、色、動きのうち、少なくともいずれか一つを検知してオブジェクトを検出する。制御部１４０は、複数のフレームに含まれた各々のオブジェクトの位置や各々のオブジェクトの形を用いて検出されたオブジェクトの動きを追跡することができる。
【００５３】
制御部１４０は、追跡されたオブジェクトの動きに応じてユーザモーションを判断する。例えば、制御部１４０は、オブジェクトの形の変化、速度、位置、方向のうち、少なくともいずれか一つを用いてユーザのモーションを判断する。ユーザのモーションは、手を握るモーションであるグラブ（Ｇｒａｂ）、表示されたカーソルを手で移動させるモーションであるポインティング移動（Ｐｏｉｎｔｉｎｇ  ｍｏｖｅ）、手を一定速度以上で一方向に動かすモーションであるスラップ（Ｓｌａｐ）、手を左／右又は上／下に振るモーションであるシェイク（Ｓｈａｋｅ）及び手を回転させるモーションである回転（Ｒｏｔａｔｅ）を含む。上述の実施形態以外の他のモーションにも本発明の技術的思想が適用されてよい。例えば、握られた手を開くスプレッド（Ｓｐｒｅａｄ）モーション等が更に含まれてよく、一定時間の間手が固定した位置にある場合にも特定モーションと判断してよい。
【００５４】
制御部１４０は、ユーザのモーションがポインティング移動であるか、スラップであるかを判断するために、オブジェクトが一定時間（例えば、８００ｍｓ）内に一定領域（例えば、４０ｃｍ×４０ｃｍの四角）から外れているかを判断する。オブジェクトが一定時間内に一定領域から外れていない場合、制御部１４０は、ユーザのモーションをポインティング移動と判断してよい。オブジェクトが決定された時間内に決定された領域から外れている場合、制御部１４０はユーザのモーションをスラップと判断してよい。別の一例として、オブジェクトの速度が予め設定された速度（例えば、３０ｃｍ／ｓ）以下であると判断された場合、制御部１４０はユーザのモーションをポインティング移動と判断する。オブジェクトの速度が予め設定された速度超過であると判断される場合、制御部１４０はユーザのモーションをスラップと判断する。
【００５５】
図３は、本発明の更に別の実施形態に係る電子装置１００のブロック図を示す図である。図３に示すように、電子装置１００は、音声入力部１１０と、モーション入力部１２０と、保存部１３０と、制御部１４０と、放送受信部１５０と、外部端子入力部１６０と、リモコン信号受信部１７０と、ネットワークインターフェース部１８０と、ディスプレイ部１９３及びオーディオ出力部１９６を含む。このとき、電子装置１００は、デジタルテレビであってよいが、それに限られるものではない。
【００５６】
一方、図３において、音声入力部１１０と、モーション入力部１２０と、保存部１３０と、制御部１４０と、放送受信部１５０と、外部端子入力部１６０と、リモコン信号受信部１７０、ネットワークインターフェース部１８０及びディスプレイ部１９３に対する説明は、図１及び図２で同じ参照番号を有する構成に対する説明と同様であるため、詳細な説明は省略する。
【００５７】
オーディオ出力部１９６は、制御部１４０の制御によって放送信号に対応する音響を出力したり、ネットワークインターフェース部１８０を介して受信される音響を出力する。オーディオ出力部１９６は、スピーカ１９６ａ、ヘッドホン出力端子１９６ｂ又はＳ／ＰＤＩＦ出力端子１９６ｃの少なくともいずれか一つを含んでよい。
【００５８】
一方、保存部１３０は、図３に示すように、電源制御モジュール１３０ａ、チャネル制御モジュール１３０ｂ、音量制御モジュール１３０ｃ、外部入力制御モジュール１３０ｄ、画面制御モジュール１３０ｅ、オーディオ制御モジュール１３０ｆ、インターネット制御モジュール１３０ｇ、アプリケーションモジュール１３０ｈ、検索制御モジュール１３０ｉ、ＵＩ処理モジュール１３０ｊ、音声認識モジュール１３０ｋ、モーション認識モジュール１３０ｌ、音声データベース１３０ｍ及びモーションデータベース１３０ｎを含む。これらのモジュール１３０ａないし１３０ｎは、それぞれ、電源制御機能、チャネル制御機能、音量制御機能、外部入力制御機能、画面制御機能、オーディオ制御機能、インターネット制御機能、アプリケーション実行機能、検索制御機能、ＵＩ処理機能を行うためにソフトウェアで実現されてよい。制御部１４０は、保存部１３０に保存されたこれらのソフトウェアを実行させて当該機能を行うことができる。
【００５９】
上述のように、各制御モジュール１３０ａないし１３０ｎを保存部１３０に保存されているソフトウェアで実現されてよいが、別々のハードウェアで実現されてよい。
【００６０】
以下では、図４ないし図７を参照して、本発明の多様な実施形態について説明する。
本発明の一実施形態として、制御部１４０は、放送受信部１５０を介して外部の放送局から送出される放送信号を受信し、受信された放送信号に対する信号処理を行う。そして、図４に示すように、制御部１４０は、信号処理された放送映像をディスプレイ部１９３にディスプレイする。
【００６１】
そして、音声入力部１１０を介して音声開始命令が入力されると、制御部１４０は音声開始命令を認識して音声タスクモードに切り替える。このとき、音声開始命令は、音声タスクモードに切り替えるためのユーザ命令であり、音声タスクモードは、電子装置１００が音声入力部１１０に入力されたユーザ音声によって制御されるモードである。このとき、音声開始命令の代わりに音声タスクモードを開始するための別の種類のユーザ命令を利用することができる。別の種類のユーザ命令は、リモコンの特定ボタン入力、電子装置１００の特定ボタン入力、ユーザの特定モーション等を含んでよい。
【００６２】
そして、音声タスクモードに切り替わると、制御部１４０は、図５に示すように、音声タスクモードを行うための第１音声ガイド情報５００をディスプレイする。このとき、第１音声ガイド情報５００は、放送映像がディスプレイされる画面の下段にディスプレイされる。
【００６３】
なお、第１音声ガイド情報５００は、現在のディスプレイ装置のモードが音声タスクモードであることを報知するアイコン５１０およびユーザの音声をガイドする複数の音声命令語５２１ないし５２６、５３０が含まれる。複数の音声命令語には、電源オフの音声命令語５２１と、外部入力の音声命令語５２２と、チャネルショートカットの音声命令語５２３と、チャネルアップ／ダウン（ＵＰ／ＤＯＷＮ）の音声命令語５２４と、音量アップ／ダウンの音声命令語５２５と、消音の音声命令語５２６及びＭｏｒｅの音声命令語５３０が含まれる。Ｍｏｒｅの音声命令語５３０は、ディスプレイされた音声命令語以外の音声命令語を更に見るための命令語である。このとき、電源オフの音声命令語５２１およびＭｏｒｅの音声命令語５３０は固定的にディスプレイされる固定命令語領域に位置し、外部入力の音声命令語５２２と、チャネルショートカットの音声命令語５２３と、チャネルアップ／ダウン（ＵＰ／ＤＯＷＮ）の音声命令語５２４と、音量アップ／ダウンの音声命令語５２５と、消音の音声命令語５２６は可変的に変更される変更命令語領域に位置してよい。
【００６４】
そして、地図アプリケーション実行命令が入力されると、制御部１４０は、図６に示すように、地図アプリケーションを実行させ、第１音声ガイド情報５００を地図アプリケーションに対応する第２音声ガイド情報６００に変更する。
【００６５】
具体的に、地図アプリケーションが実行されると、制御部１４０は、保存部１３０に保存された地図アプリケーションに対応する音声命令語を読み取る。そして、制御部１４０は、変更命令語領域にディスプレイされている音声命令語を読み取られた音声命令語に変更する。
【００６６】
例えば、図６に示すように、制御部１４０は、固定命令語領域にディスプレイされている電源オフの音声命令語６２１およびＭｏｒｅの音声命令語６３０をそのままディスプレイする。そして、制御部１４０は、変更命令語領域にディスプレイされている外部入力の音声命令語５２２と、チャネルショートカットの音声命令語５２３と、チャネルアップ／ダウン（ＵＰ／ＤＯＷＮ）の音声命令語５２４と、音量アップ／ダウンの音声命令語５２５と、消音の音声命令語５２６を、外部入力の音声命令語６２２と、場所確認の音声命令語６２３と、ルート検索の音声命令語６２４および終了の音声命令語６２５に変更してよい。このとき、終了の音声命令語６２５は、変更前の音声ガイド情報に復帰するためのユーザ音声をガイドする音声命令語である。このとき、終了の音声命令語６２５が実行されると、制御部１４０は当該アプリケーションも同時に終了することができる。
【００６７】
したがって、ユーザは、地図アプリケーションを用いて使用することができる機能を音声ガイド情報を通じて容易に確認することができるようになる。
【００６８】
本発明の別の実施形態として、図５に示すように、第１音声ガイド情報がディスプレイされた状態で、ユーザ好み音声命令語を実行するためのユーザ命令（例えば、“Ｆａｖｏｒｉｔｅ”というユーザ音声）が入力されると、制御部１４０は、図７に示すように、音声ガイド情報５００をユーザ好み音声命令が含まれた第３音声ガイド情報７００に変更する。
【００６９】
具体的に、ユーザ好み音声命令語を実行するためのユーザ命令が入力されると、制御部１４０は、保存部１３０に保存されたユーザ好み音声命令語を読み取る。そして、制御部１４０は、変更命令語領域にディスプレイされている音声命令語を読み取られた音声命令語に変更する。
【００７０】
例えば、図７に示すように、制御部１４０は固定命令語領域にディスプレイされている電源オフの音声命令語７２１およびＭｏｒｅの音声命令語７３０をそのままディスプレイする。そして、制御部１４０は、変更命令語領域にディスプレイされている外部入力の音声命令語５２２と、チャネルショートカットの音声命令語５２３と、チャネルアップ／ダウン（ＵＰ／ＤＯＷＮ）の音声命令語５２４と、音量アップ／ダウンの音声命令語５２５と、消音の音声命令語５２６を、ユーザ好み音声命令語であるインターネットの音声命令語７２２と、３Ｄの音声命令語７２３と、編成表の音声命令語７２４および終了の音声命令語７２５に変更してよい。このとき、終了の音声命令語７２５は、変更前の第１音声ガイド情報に復帰するためのユーザ音声をガイドする音声命令語である。
【００７１】
したがって、ユーザは自分が好む音声アイテムを用いて、電子装置１００を制御することができるようになる。
【００７２】
以下においては、図８を参照して、音声ガイド情報で音声アイテムを変更するための方法について、より詳細に説明する。
【００７３】
まず、電子装置１００は、音声開始命令が入力されているか否かを判断する（Ｓ８１０）。このとき、音声開始命令とは、電子装置１００のモードを音声タスクモードに切り替えるためのユーザ命令である。
【００７４】
音声開始命令が入力されると（Ｓ８１０−Ｙ）、電子装置１００は電子装置１００の制御モードを音声タスクモードに切り替える（Ｓ８２０）。このとき、音声タスクモードは、電子装置１００が音声入力部１１０を介して入力されたユーザ音声によって制御されるモードである。
【００７５】
音声タスクモードに切り替わると、電子装置１００は音声ガイド情報をディスプレイする（Ｓ８３０）。このとき、電子装置１００が放送受信機能を担う場合、音声ガイド情報は放送受信機能を制御するための音声命令語が含まれる。
【００７６】
そして、電子装置１００は、音声命令語変更のためのユーザ命令が入力されたか否かを判断する（Ｓ８４０）。例えば、電子装置１００は、特定アプリケーション（例えば、地図アプリケーション）の実行のためのユーザ命令が入力されたか否かおよびユーザ好み音声命令語のディスプレイのためのユーザ命令が入力されたか否かを判断する。
【００７７】
音声命令語変更のためのユーザ命令が入力されたと判断されると（Ｓ８４０−Ｙ）、電子装置１００は音声ガイド情報に含まれた音声命令語の少なくとも何れか一つを変更する（Ｓ８５０）。このとき、変更される少なくとも一つの音声命令語は、音声ガイド情報に含まれた音声命令語のうち、変更命令語領域にディスプレイされた音声命令語であってよい。
【００７８】
例えば、音声命令語変更のためのユーザ命令が特定のアプリケーションの実行のためのユーザ命令である場合、電子装置１００は音声ガイド情報に含まれた音声命令語のうち、変更命令語領域にディスプレイされた音声命令語を特定アプリケーションに対応する音声命令語に変更してよい。または、音声命令語変更のためのユーザ命令がユーザ好み音声命令語のディスプレイのためのユーザ命令である場合、電子装置１００は、音声ガイド情報に含まれた命令語のうち、変更命令語領域にディスプレイされた音声命令語をユーザ好み音声命令語に変更してよい。
【００７９】
そして、電子装置１００は、変更された音声ガイド情報を用いて音声タスクを行う（Ｓ８６０）。
【００８０】
上述のように、電子装置で実行されるアプリケーションおよびユーザ好みに応じて異なる音声ガイド情報を提供することにより、ユーザはより便利かつ効率よく電子機器を制御することができるようになる。
【００８１】
一方、図１ないし図８においては、音声ガイド情報が変更されると説明してきたが、それは一実施形態に過ぎず、モーションタスクモードを行うためのモーションガイド情報に含まれたモーションアイテムが変更される実施形態も本発明の技術的思想に含まれてよい。
【００８２】
モーションアイテムが変更される実施形態ついては、図９を参照して説明する。図９に示すように、本発明の別の実施形態に係る電子装置９００は、モーション入力部１２０と、保存部１３０と、制御部１４０およびディスプレイ部１９３を含む。一方、図９に示すモーション入力部１２０と、保存部１３０と、制御部１４０およびディスプレイ部１９３に対する説明は、図１ないし図３における説明と同様である。
【００８３】
具体的に、モーション入力部１２０を介してモーション開始命令が入力されると、制御部１４０は電子装置のモードをユーザモーションによって制御されるモーションタスクモードに切り替わる。そして、制御部１４０は、電子装置１００でモーションタスクモードを行うための複数のモーションアイテムを含むモーションガイド情報をディスプレイする。
【００８４】
モーションガイド情報がディスプレイされた状態で、アプリケーション実行命令が入力されると、制御部１４０は複数のモーションアイテムの少なくとも何れか一つを前記実行されるアプリケーションに対応するモーションアイテムに変更してよい。
【００８５】
上述のように、電子装置で実行されるアプリケーションに応じて、音声アイテムを変更して提供することにより、ユーザはより便利かつ効率よく電子機器を制御することができるようになる。
【００８６】
一方、上述の実施形態においては、電子装置１００を制御するための外部機器としてリモコンを想定したが、それは一実施形態に過ぎず、スマートフォンやＰＤＡ等のような携帯用端末機器を用いて電子装置１００を制御してよい。
【００８７】
以上のような多様な実施形態に係る制御方法を行うためのプログラムコードは、多様な類型の記録媒体に保存されてよい。具体的には、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭ等のように、端末機で読み取り可能な多様な類型の記録媒体に保存されていてよい。
【００８８】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例又は修正例に想到し得ることは明らかであり、これらについても、当然に本発明の技術的範囲に属するものと了解される。
【符号の説明】
【００８９】
１１０  音声入力部
１４０  制御部
１３０  保存部
１９３  ディスプレイ部
１１０  音声入力部
１２０  モーション入力部
１５０  放送受信部
１６０  外部端子入力部
１４０  制御部
１３０  保存部
１７０  リモコン信号受信部
１８０  ネットワークインターフェース部
１９０  映像出力部
１１０  音声入力部
１２０  モーション入力部
１５０  放送受信部
１６０  外部端子入力部
１６１  ＨＤＭＩ端子
１６２  コンポーネント端子
１６３  ＰＣ端子
１６４  ＵＳＢ端子
１８０  ネットワークインターフェース部
１８２  無線ＬＡＮ
１８３  ブルートゥース
１９３  ディスプレイ部
１９６  オーディオ出力部
１９６ａ  スピーカ
１９６ｂ  ヘッドホン
１４０  制御部
１３０  保存部
１３０ａ  電源制御モジュール
１３０ｂ  チャネル制御モジュール
１３０ｃ  音量制御モジュール
１３０ｄ  外部入力制御モジュール
１３０ｅ  画面制御モジュール
１３０ｆ  オーディオ制御モジュール
１３０ｇ  インターネット制御モジュール
１３０ｈ  アプリケーションモジュール
１３０ｉ  検索制御モジュール
１３０ｊ  ＵＩ処理モジュール
１３０ｋ  音声認識モジュール
１３０ｌ  モーション認識モジュール
１３０ｍ  音声データベース
１３０ｎ  モーションデータベース
１７０  リモコン信号受信部
５２１  電源オフ
５２２  外部入力
５２３  チャネルショートカット
５２４  チャネルアップ／ダウン
５２５  音量アップ／ダウン
５２６  消音
６２１  電源オフ
６２２  外部入力
６２３  場所確認
６２４  ルート検索
６２５  終了
７１２  電源オフ
７２２  インターネット
７２４  編成表
７２５  終了
Ｓ８１０  音声開始命令が入力？
Ｓ８２０  音声タスクモードに切り替え
Ｓ８３０  音声ガイド情報をディスプレイ
Ｓ８４０  音声アイテム変更のためのユーザ命令が入力？
Ｓ８５０  音声ガイド情報に含まれた音声アイテムの少なくとも何れか一つを変更
Ｓ８６０  音声タスクを実行
１２０  モーション入力部
１４０  制御部
１３０  保存部
１９３  ディスプレイ部
【図１】
2013140359.tif 000003
【図２】
2013140359.tif 000004
【図３】
2013140359.tif 000005
【図４】
2013140359.tif 000006
【図５】
2013140359.tif 000007
【図６】
2013140359.tif 000008
【図７】
2013140359.tif 000009
【図８】
2013140359.tif 000010
【図９】
2013140359.tif 000011